【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
インプラントを扱うための携帯用容器であって、前記携帯用容器が、
所定の組成物のイオン化流体を封入する密閉コンパートメントであって、前記密閉コンパートメントが、前記密閉コンパートメントの中に、生体内に取り付けられるように構成されたインプラントをさらに含み、前記密閉コンパートメントが、ユーザによって開けられ、それによって前記携帯用容器から前記インプラントを取り除くことを可能にするように構成される、密閉コンパートメントと、
導電性材料で作られ、前記密閉コンパートメントの外側で少なくとも１つの導電体と電気的に関連付けられ、前記密閉コンパートメントの内側でプラズマ生成電場を印加するために構成された少なくとも１つの電極と、
を備え、
前記携帯用容器が、前記密閉コンパートメントの内側に前記インプラントを保管すること、前記インプラントが前記携帯用容器の中に保管されている状態で前記携帯用容器を出荷すること、及び、前記密閉コンパートメントのシールを破壊せずに、電場を使用し、前記流体内でプラズマを生成し、それによって前記インプラントを表面処理することを可能にするように構成される、携帯用容器。
【請求項２】
前記インプラントが人工インプラントを含む、請求項１に記載の携帯用容器。
【請求項３】
前記インプラントが金属製である、請求項２に記載の携帯用容器。
【請求項４】
前記少なくとも１つの電極が前記インプラントを備え、前記インプラントが、前記密閉コンパートメントの外側で前記少なくとも１つの導電体と電気的に関連付けられる、請求項３に記載の携帯用容器。
【請求項５】
前記インプラントが、前記密閉コンパートメントの外側で前記少なくとも１つの導電体と電気的に接続される、請求項４に記載の携帯用容器。
【請求項６】
前記インプラントが、前記密閉コンパートメントの外側で前記少なくとも１つの導電体と容量結合される、請求項４に記載の携帯用容器。
【請求項７】
前記インプラントが、少なくとも前記インプラントの表面上で誘電性である、請求項２に記載の携帯用容器。
【請求項８】
前記インプラントが乳房インプラントを含む、請求項７に記載の携帯用容器。
【請求項９】
前記インプラントが、導電部分及び電気的に絶縁している部分を含む、請求項２に記載の携帯用容器。
【請求項１０】
前記インプラントがバイオマテリアルを備える、請求項１に記載の携帯用容器。
【請求項１１】
前記バイオマテリアルが、骨移植片、テキスタイルベースのポリマー、ヒドロキシアパタイト、ヘルニアメッシュ、及びコラーゲン膜の内の１つ以上を含む、請求項１０に記載の携帯用容器。
【請求項１２】
前記少なくとも１つの電極が、前記密閉コンパートメントの外側で前記少なくとも１つの導電体との電気接点を有する細長い部材を備え、前記バイオマテリアルが、粉末、砕かれた顆粒、パテ、チップ、ゲル、ペースト、及び任意のその組合せから成るグループから選択される形態にあり、前記バイオマテリアルが、前記細長い部材の周りで前記密閉コンパートメントの内側に配置される、請求項１０に記載の携帯用容器。
【請求項１３】
前記流体が、アルゴン、ヘリウム、窒素、酸素、及び任意のその組合せから成るグループからの少なくとも１つを含むガスである、請求項１に記載の携帯用容器。
【請求項１４】
前記ガスが１０ＫＰａ以下の圧力を有する、請求項１３に記載の携帯用容器。
【請求項１５】
前記少なくとも１つの電極が２つの電極を備え、前記２つの電極が、互いから電気的に切断され、容量結合プラズマ（ＣＰＣ）運転モードで前記２つの電極の間にプラズマ生成電場を印加するように構成される、請求項１に記載の携帯用容器。
【請求項１６】
前記少なくとも１つの電極が前記流体から電気的に絶縁され、それによって誘電破壊放電（ＤＢＤ）運転モードで前記密閉コンパートメント内でプラズマを生成するように構成される、請求項１に記載の携帯用容器。
【請求項１７】
前記密閉コンパートメントをその中に含む外部カプセルをさらに備える、請求項１に記載の携帯用容器。
【請求項１８】
前記外部カプセルが、前記外部カプセルから前記密閉コンパートメントを自由に解放するために構成される、請求項１７に記載の携帯用容器。
【請求項１９】
前記少なくとも１つの電極が、前記インプラントを含み、前記密閉コンパートメントの外側で前記少なくとも１つの導電体と電気的に関連付けられる、請求項１７に記載の携帯用容器。
【請求項２０】
生体内にインプラントを取り付ける前の前記インプラントのプラズマ処理のための機器であって、前記機器が活性化装置を備え、前記活性化装置が、
前記活性化装置から取り外し可能な携帯用容器を受け入れるように構成された長穴であって、前記携帯用容器が、所定の組成物のイオン化流体を封入する密閉コンパートメントを含み、前記密閉コンパートメントが、前記密閉コンパートメントの中に、生体内に取り付けられるように構成されたインプラントをさらに含み、前記密閉コンパートメントが、ユーザによって開けられ、それによって前記携帯用容器から前記インプラントを取り除くことを可能にするように構成される、長穴と、
少なくとも１つの電極と電気的に関連付けられるように構成され、前記携帯用容器が前記長穴内に配置されるときに、前記密閉コンパートメント内でプラズマ生成電場を印加するために適切な電力を前記少なくとも１つの電極に提供するように構成された電気回路と、
を含む、機器。
【請求項２１】
請求項１〜１９のいずれか１項に記載の携帯用容器をさらに備える、請求項２０に記載の機器。
【請求項２２】
前記携帯用容器が、導電性材料で作られ、前記密閉コンパートメントの内側でプラズマ生成電場を印加するために構成された少なくとも１つの電極を備え、前記電極が、前記密閉コンパートメントの外側で導電体と関連付けられ、前記機器が、前記電気回路と電気的に関連付けられ、前記携帯用容器が前記長穴内に配置されるとき、前記携帯用容器の導電体に電気的に接触するように構成された電気接点を備える、請求項２０に記載の機器。
【請求項２３】
生体内に取り付けられるように構成されたインプラントを扱う方法であって、前記方法が、
携帯用容器の密閉コンパートメントの内側でプラズマ生成電磁（ＥＭ）場を印加することによって前記密閉コンパートメントの内側でプラズマを生成することであって、前記密閉コンパートメントが、所定の組成物のイオン化流体を封入し、その中に密閉されたインプラントを有し、前記プラズマが、前記インプラントが前記携帯用容器の中に保管されている状態で前記携帯用容器を出荷することに続き、前記密閉コンパートメントのシールを破壊せずに生成され、前記密閉コンパートメントが、ユーザによって開けられ、それによって前記携帯用容器から前記インプラントを取り除くことを可能にするように構成されることと、
前記プラズマを生成することに続き、前記密閉コンパートメントを開け、前記密閉コンパートメントから前記インプラントを取り除くことと、
を含む、方法。
【請求項２４】
前記プラズマを生成することが、活性化装置の長穴内に前記携帯用容器を配置することによって行われ、前記活性化装置が、少なくとも１つの電極と電気的に関連付けられるように構成され、前記携帯用容器が前記長穴内に配置されるときに、前記密閉コンパートメント内でプラズマ生成電場を印加するために適切な電力を前記少なくとも１つの電極に提供するように構成された電気回路を有する、請求項２３に記載の方法。
【請求項２５】
前記携帯用容器が、前記密閉コンパートメントをその中に被包する外部カプセルを含み、前記方法が、前記プラズマを生成することの後でかつ前記密閉コンパートメントを開けることの前に、前記外部カプセルから前記密閉コンパートメントを解放することをさらに含む、請求項２３に記載の方法。